【事件の表示】
　特願２０００−　７６９３５「ソフトウェア販売装置」拒絶査定不服審判事件〔平成１３年　９月２８日出願公開、特開２００１−２６６０４０〕について、次のとおり審決する。
【結　論】
　本件審判の請求は、成り立たない。
【理　由】
１．手続の経緯 
　本願は、平成１２年３月１７日の出願であって、平成１５年１１月１２日付けで拒絶査定がなされ、これに対し、同年１２月１８日に拒絶査定に対する審判請求がなされるとともに、同年１２月２５日付けで手続補正がなされたものである。 
 　 
２．本願発明
　平成１５年１２月２５日付け手続補正（以下、「本件補正」という。）は、補正前の請求項１及び２を削除し、従属形式であった補正前の請求項３を独立形式へ変更して補正後の請求項１とするために請求項の記載を形式的に変更するものであるから、本件補正は、特許請求の範囲の削除を目的とするものであり、特許法第１７条の２第４項第１号の規定に適合する。
　
　そうすると、本願の請求項１に係る発明（以下、「本願発明」という。）は、その特許請求の範囲の請求項１に記載された事項により特定される、以下のとおりのものである。
「ネットワークに接続された顧客端末と、
　前記ネットワークに接続され、前記顧客端末から前記ネットワークを介して要求があった場合にソフトウェアに関する商品情報を前記ネットワークを介して前記顧客端末に提供する販売者端末と、
　前記ネットワークに接続され、前記ソフトウェアを記憶し、前記ソフトウェアの提供を前記ネットワークを介して行うライセンス権者端末と、
　前記ネットワークに接続され、少なくとも前記顧客端末を操作する顧客の口座と、前記ライセンス権者端末を操作するライセンス権者の口座と、前記販売者端末を操作する販売者の口座とを含む決済端末とを備え、
　前記販売者端末は、前記顧客端末から前記ネットワークを介して前記顧客の口座を指定する支払いカード情報を含む注文情報が送信されてきた場合に、当該注文情報を前記ネットワークを介して前記ライセンス権者端末へ転送する転送手段と、転送した前記注文情報に対する返信として前記ライセンス権者端末から前記ネットワークを介して送信されてくる返信情報に基づいて販売者決済情報を作成して前記ネットワークを介して前記決済端末へ送信する販売者決済情報作成送信手段とを有し、
　前記ライセンス権者端末は、前記販売者端末から前記注文情報が転送されてきた場合に、前記注文情報で指定されるソフトウェアのダウンロードを許可するダウンロード許可情報を、前記ネットワークを介して前記注文情報を送信した顧客端末へ送信するとともに前記返信情報として前記販売者端末へ送信する送信手段と、前記注文情報に基づいて顧客決済情報を生成して前記ネットワークを介して前記決済端末へ送信する顧客決済情報生成送信手段とを有し、
　前記顧客端末は、前記ライセンス権者端末から送信されてくる前記ダウンロード許可情報に基づいて前記ライセンス権者端末から前記ネットワークを介して注文したソフトウェアをダウンロードするダウンロード手段を有し、
　前記決済端末は、前記ライセンス権者端末から送信されてきた前記顧客決済情報に基づいて前記顧客の口座から前記ライセンス権者の口座へ振込を行うとともに、前記販売者端末から送信されてきた前記販売者決済情報に基づいて前記ライセンス権者の口座から前記販売者の口座へ振込を行う振込手段を有する
　ことを特徴とするソフトウェア販売装置。」
　
３．引用例
　原査定の拒絶の理由に引用された特開平９−２５９１８９号公報（以下、「引用例」という。）には、図面とともに以下の事項が記載されている。
（ａ）「【請求項１】 コンピュータネットワーク上のサーバを介して情報提供を行うオンライン情報提供システムにおいて、前記ネットワークのクライアントコンピュータに雑誌等の書籍の絵文字混じりの表紙と目次等の画像データを取り込むスキャナと、目次等の印刷文字情報である電子写植データを文字データとして取り込む電子写植データ入力装置と、前記スキャナ又は写植データ入力装置から取り込んだデータを圧縮して前記サーバに転送するデータ転送手段と、前記サーバ又は前記サーバとは別のサーバを介してＦＡＸ又は電子メールを送る電子的配信手段とを設けると共に、前記サーバ側には前記サーバ上に転送された前記データの顧客のアクセスに基づく注文により、その注文データを書籍販売業者のクライアントコンピュータに転送するデータ転送手段を設け、且つ、前記オンライン情報提供システムには、前記書籍販売業者側からの指示に基づき前記顧客の注文に関する代金請求を顧客の取引銀行と書籍販売業者の取引銀行との間でオンラインで電子的に決済するオンライン決済システムを設け、顧客の注文に応じ雑誌等の書籍の記事を電子的手段で顧客に送るか若しくは顧客の注文した記事を有する書籍を配送すると共にその代金決済を電子的に決済することを特徴とする書籍の広告・販売システム。」（特許請求の範囲）
（ｂ）「【発明の属する技術分野】本発明は、例えば、インターネット上で行われている情報提供サービスを用いて日々発行される雑誌の広告を行うと共に、地球上のどこからでも前記広告を見ることで、所望の記事をスピーディに得ることを可能にした雑誌等の書籍に好適な書籍の広告・販売システムに関する。」（２頁左欄２６〜３１行）
（ｃ）「【発明が解決しようとする課題】この発明は上記した点に鑑みてなされたものであり、その目的とするところは、インターネットのようなオンライン情報提供システムを利用することで、雑誌の目次を見ることを可能とし、これにより、電子メールを用いて顧客の希望する記事を迅速に得ることができるようにすると共に、その代金決済を電子的に決済するようにした新規な書籍の広告・販売システムを提供することにある。」（２頁左欄４２〜４９行）
（ｄ）「【発明の実施の形態】本発明に係る書籍の広告・販売システムに係る実施の形態について図１のシステム構成図を用いて説明する。図１はコンピュータネットワーク上のサーバを介して情報提供を行うオンライン情報提供システムの要部を示しており、１はネットワーク上に設けられた、例えば、ＷＷＷサーバ等のサーバ、２はネットワークのクライアント側コンピュータＣ１に設けられ、雑誌等の書籍の絵文字混じりの表紙と目次等の画像データＤ１をコンピュータＣ１に取り込むスキャナ、３はクライアント側のコンピュータＣ１に設けられ、目次等の印刷文字情報である電子写植データを文字データＤ２としてコンピュータＣ１に取り込む電子写植データ入力装置、４はスキャナ２又は電子写植データ入力装置３からコンピュータＣ１内のメモリ（図示しない）に取り込まれたデータをデータ圧縮手段５を介して圧縮して、サーバ１に転送するデータ転送手段、６は書籍販売業者（又は書籍取扱業者）が利用するクライアントコンピュータ、７は顧客が利用しサーバ１にアクセスするクライアントコンピュータ、１ａはサーバ１上に転送されたデータＤ１，Ｄ２のクライアントコンピュータ６のアクセスにより注文された雑誌記事の注文データＤ３、例えば、顧客の住所、氏名、ドメイン名、注文する雑誌の番号、記事の番号、取引銀行コードや口座番号等の必要なデータを書籍販売業者のクライアントコンピュータ６に転送するデータ転送手段である。
【０００６】８は顧客の注文データＤ３に応じ、注文の記事をサーバ９を介して電子メールで送る電子的配信手段である電子メールシステムであり、クライアントコンピュータ６，７には電子メールを配信するための配信手段が設けられている。又、１０はオンライン決済システムであり、１１は書籍販売業者からの指示に基づき、顧客の注文に対する代金請求を顧客の取引銀行のコンピュータ１１ａと書籍販売業者の取引銀行のコンピュータ１１ｂとの間でオンラインで電子的に決済するオンライン決済手段を有するオンライン決済システム１０のコンピュータである。そして、サーバ１とクライアントコンピュータＣ１及びクライアントコンピュータ６，７とは接続回線により接続され、又、オンライン決済システム用のコンピュータ１１には、書籍販売業者の使用するコンピュータ６と銀行のコンピュータ１１ａ，１１ｂとが接続され、又、ネットワーク上のサーバ９にはクライアントコンピュータ６，７が接続線路を介して接続され、本システムのコンピュータネットワークが構成されている。」（２頁右欄２５行〜３頁左欄１８行）
（ｅ）「【０００７】次に、このように構成した本発明の書籍の広告・販売システムを用いた書籍の広告及び販売について詳細に説明する。先ず、書籍販売業者は雑誌等の書籍の絵文字混じりの表紙及び目次等の画像データをスキャナ２によりクライアントコンピュータＣ１に読み込む。尚、目次については、印刷の際に使用した電子写植データＤ２があれば、電子写植データ入力装置３を用いてクライアントコンピュータＣ１に入力すれば、より効率的にデータを入力することが可能になる。このように入力されたデータはデータ圧縮手段５を介して圧縮された後、データ転送手段４によりサーバ１に転送され、ネットワーク上のコンピュータから常時、アクセス可能になる。
【０００８】さて、顧客のコンピュータ７からはサーバ１上の雑誌の表紙や目次を何時でもアクセス可能であるから、コンピュータ７からサーバ１をアクセスし、詳細に見たい記事がある時は、注文データＤ３を指定すれば、サーバ１のデータ転送手段１ａが注文データＤ３を書籍販売業者のクライアントコンピュータ６に転送する。書籍販売業者は、指定された記事を電子メール用サーバ９に送ると共に、書籍販売業者はコンピュータ６を介してオンライン決済システム１０に代金決済の指示を出す。すると、オンライン決済システム１０は、顧客の口座から代金支払の処理を行うと共に、書籍販売業者の取引銀行のコンピュータ１１ｂが書籍販売業者の口座に入金処理を行うよう指示する。従って、顧客は必要な時に、電子メールをみればよいから、迅速に注文の記事を得ることができる。」（３頁左欄１９行〜右欄６行）
　
(1)上記摘記事項（ｅ）の「書籍販売業者はコンピュータ６を介してオンライン決済システム１０に代金決済の指示を出す。」との記載からみて、書籍販売業者のコンピュータは、オンライン決済システムに、すなわち、オンライン決済用コンピュータに、代金決済の指示をするための「顧客代金決済情報」を生成して送信していることは明らかであるから、書籍販売業者のコンピュータは、「顧客代金決済情報生成送信手段」を有するといえる。
　
　そうすると、上記引用例には、 
「ネットワークに接続された顧客のコンピュータと、
　前記ネットワークに接続され、前記顧客のコンピュータから前記ネットワークを介してアクセスがあった場合に書籍の目次等を前記ネットワークを介して前記顧客のコンピュータに提供するサーバと、
　前記ネットワークに接続され、前記書籍の記事を記憶し、前記書籍の記事の提供を前記ネットワークを介して行う書籍販売業者のコンピュータと、
　前記ネットワークに接続され、少なくとも前記顧客のコンピュータを操作する顧客の口座と、前記書籍販売業者のコンピュータを操作する書籍販売業者の口座とを含むオンライン決済用コンピュータとを備え、
　前記サーバは、前記顧客のコンピュータから前記ネットワークを介して前記顧客の口座を指定する口座番号を含む注文データが送信されてきた場合に、当該注文データを前記ネットワークを介して前記書籍販売業者のコンピュータへ転送するデータ転送手段とを有し、
　前記書籍販売業者のコンピュータは、前記サーバから前記注文データが転送されてきた場合に、前記注文データで指定される書籍の記事を前記ネットワークを介して前記注文データを送信した顧客のコンピュータへ送信する送信手段と、前記注文データに基づいて顧客代金決済情報を生成して前記ネットワークを介して前記オンライン決済用コンピュータへ送信する顧客代金決済情報生成送信手段とを有し、
　前記顧客のコンピュータは、前記書籍販売業者のコンピュータから前記ネットワークを介して送信されてくる注文した書籍の記事を受信する受信手段を有し、
　前記オンライン決済用コンピュータは、前記書籍販売業者のコンピュータから送信されてきた前記顧客代金決済情報に基づいて前記顧客の口座から前記書籍販売業者の口座へ入金処理を行う代金決済手段を有する
　ことを特徴とする書籍販売装置。」
の発明が開示されているといえる。 
 　 
４．対比・判断 
　本願発明（以下、「前者」という。）と引用例に記載された発明（以下、「後者」という。）とを対比すると、 
(1)後者の「顧客のコンピュータ」、「オンライン決済用コンピュータ」は、前者の「顧客端末」、「決済端末」に、それぞれ相当する。
(2)後者の「サーバ」は、書籍の目次等をネットワークを介して顧客のコンピュータに提供し、顧客のコンピュータからネットワークを介して前記顧客の口座を指定する口座番号を含む注文データが送信されてきた場合に、当該注文データを前記ネットワークを介して前記書籍販売業者のコンピュータへ転送するのだから、後者の「サーバ」は前者の「販売者端末」に相当する。
(3)後者の「書籍の記事」は、電子データとして取り扱われるものであり、前者の「ソフトウェア」も電子データであるから、後者の「書籍の記事」と前者の「ソフトウェア」とは、「電子データ」という概念で共通する。
　そうすると、前者の「ソフトウェアに関する商品情報」と後者の「書籍の記事の目次等」とは、「電子データに関する商品情報」という概念で共通する。
(4)前者の「ライセンス権者」は、電子データであるソフトウェアを提供する者であり、後者の「書籍販売業者」も、電子データで書籍の記事を提供する者であるから、両者は、「電子データ提供者」という概念で共通する。
　そうすると、前者の「ライセンス権者端末」と後者の「書籍販売業者のコンピュータ」とは、「電子データ提供者のコンピュータ」である点で共通する。
(5)後者の「アクセス」、「注文データ」、「データ転送手段」、「顧客代金決済情報」、「顧客代金決済情報生成送信手段」、「入金処理」、「代金決済手段」は、前者の「要求」、「注文情報」、「転送手段」、「顧客決済情報」、「顧客決済情報生成送信手段」、「振込」、「振込手段」に、それぞれ相当する。
(6)前者の「ダウンロード」は後者の「受信」に包含されるから、前者の「ダウンロード手段」は後者の「受信手段」に包含される。 　 
(7)前者の「ソフトウェア販売装置」は、ソフトウェアという電子データを販売する装置であり、後者の「書籍販売装置」も、電子データで書籍の記事を販売する装置であるから、両者は、「電子データの販売装置」という概念で共通する。
　
　そうすると、両者は、
「ネットワークに接続された顧客端末と、
　前記ネットワークに接続され、前記顧客端末から前記ネットワークを介して要求があった場合に電子データに関する商品情報を前記ネットワークを介して前記顧客端末に提供する販売者端末と、
　前記ネットワークに接続され、前記電子データを記憶し、前記電子データの提供を前記ネットワークを介して行う電子データ提供者のコンピュータと、
　前記ネットワークに接続され、少なくとも前記顧客端末を操作する顧客の口座と、前記電子データ提供者のコンピュータを操作する電子データ提供者の口座とを含む決済端末とを備え、
　前記販売者端末は、前記顧客端末から前記ネットワークを介して前記顧客の口座を指定する口座番号を含む注文情報が送信されてきた場合に、当該注文情報を前記ネットワークを介して前記電子データ提供者のコンピュータへ転送する転送手段を有し、
　前記電子データ提供者のコンピュータは、前記販売者端末から前記注文情報が転送されてきた場合に、前記注文情報で指定される電子データを前記ネットワークを介して前記注文情報を送信した顧客端末へ送信する送信手段と、前記注文情報に基づいて顧客決済情報を生成して前記ネットワークを介して前記決済端末へ送信する顧客決済情報生成送信手段とを有し、
　前記顧客端末は、前記電子データ提供者のコンピュータから前記ネットワークを介して送信されてくる注文した電子データを受信する受信手段を有し、
　前記決済端末は、前記電子データ提供者のコンピュータから送信されてきた前記顧客決済情報に基づいて前記顧客の口座から前記電子データ提供者の口座へ振込を行う振込手段を有する
　ことを特徴とする電子データ販売装置。」
である点で一致し、以下の点で相違する。
 　 
［相違点１］ 
　前者の電子データ提供者のコンピュータは、電子データとして、ソフトウェアを記憶し、前記ソフトウェアの提供をネットワークを介して行うライセンス権者端末であるのに対して、後者の電子データ提供者のコンピュータは、電子データとして、書籍の記事を記憶し、前記書籍の記事の提供をネットワークを介して行う書籍販売業者のコンピュータである点。
［相違点２］
　前者の電子データ販売装置は、電子データとして、ソフトウェアを記憶し、前記ソフトウェアの提供をネットワークを介して行うソフトウェア販売装置であるのに対して、後者の電子データ販売装置は、電子データとして、書籍の記事を記憶し、前記書籍の記事の提供をネットワークを介して行う書籍販売装置である点。
［相違点３］
　前者では、顧客の口座を指定する情報が、支払カード情報であるのに対して、後者では、顧客の口座を指定する情報が、支払カード情報であるのか不明な点。
［相違点４］
　前者の販売者端末は、注文情報をライセンス権者端末に送信しているのに対して、後者の販売者端末は、注文情報を書籍販売業者のコンピュータに送信している点。
［相違点５］
　前者では、顧客端末が電子データとしてのソフトウェアを得るために、
　ライセンス権者端末は、販売者端末から注文情報が転送されてきた場合に、ライセンス権者端末は、注文情報で指定されるソフトウェアのダウンロードを許可するダウンロード許可情報を、ネットワークを介して前記注文情報を送信した顧客端末へ送信する送信手段を有し、前記顧客端末は、前記ライセンス権者端末から送信されてくる前記ダウンロード許可情報に基づいて前記ライセンス権者端末から前記ネットワークを介して注文したソフトウェアをダウンロードするダウンロード手段を有しているのに対して、
　後者では、顧客端末が電子データとしての書籍の記事を得るために、
　書籍販売者のコンピュータは、販売者端末から注文情報が転送されてきた場合に、書籍販売業者のコンピュータは、注文情報で指定される書籍の記事を、ネットワークを介して前記注文情報を送信した顧客端末へ送信する送信手段を有し、顧客のコンピュータは、前記書籍販売業者のコンピュータから前記ネットワークを介して送信されてきた注文した書籍の記事を受信する受信手段を有している点。
［相違点６］
　前者では、販売者が販売手数料を得るために、
(1)決済端末は、顧客端末を操作する顧客の口座と、ライセンス権者端末を操作するライセンス権者の口座とに加えて、販売者端末を操作する販売者の口座を含み、
(2)前記販売者端末は、前記ライセンス権者端末からネットワークを介して送信されてくる返信情報であるダウンロード許可情報に基づいて販売者決済情報を作成して前記ネットワークを介して決済端末へ送信する販売者決済情報作成送信手段とを有し、
(3)前記決済端末は、前記販売者端末から送信されてきた前記販売者決済情報に基づいて前記ライセンス権者の口座から前記販売者の口座へ振り込みを行う振込手段を有している、
のに対して、
　後者では、そのような構成を有していない点。
 　 
　上記相違点について、以下に検討する。 
［相違点１］，［相違点２］について 
　電子データとしてのソフトウェアをライセンス権者端末に記憶し、ネットワークを介して提供することは、周知の事項であり、また、後者においても書籍の記事は電子データとして取り扱われるものであるから、後者において、電子データとして、書籍の記事を記憶し、書籍の記事の提供をネットワークを介して提供する書籍販売業者のコンピュータに代えて、電子データとして、ソフトウェアを記憶し、前記ソフトウェアの提供をネットワークを介して行うライセンス権者端末とし、書籍販売装置に代えて、ソフトウェア販売装置とすることは、当業者であれば、容易に想到することができたものと認められる。
［相違点３］について
　ネットワークを介してオンラインで電子決済をする場合に、顧客の口座を指定するために、支払カード情報を使用することは、普通に行われていることであるから、顧客の口座を指定する情報を支払カード情報とすることは、当業者であれば、容易に想到することができたものと認められる。
［相違点４］について
　上記［相違点１］について述べたように、「書籍販売業者のコンピュータ」を「ライセンス権者端末」とすることが容易であれば、販売者端末が、注文情報をライセンス権者端末に送信することは、直ちに導出されるものである。
［相違点５］について
　端末間で電子データを送受信する際に、一方の端末から他方の端末へ電子データを送信することも、一方の端末から他方の端末に電子データのダウンロード許可情報を送信し他方の端末に一方の端末から電子データをダウンロードさせることも、周知の事項であり、また、上記［相違点１］について述べたように、「書籍販売業者のコンピュータ」を「ライセンス権者端末」とすることが容易であれば、顧客端末が、電子データとしてのソフトウェアを得るために、ライセンス権者端末は、販売者端末から注文情報が転送されてきた場合に、ライセンス権者端末は、注文情報で指定されるソフトウェアのダウンロードを許可するダウンロード許可情報を、ネットワークを介して前記注文情報を送信した顧客端末へ送信する送信手段を有し、前記顧客端末は、前記ライセンス権者端末から送信されてくる前記ダウンロード許可情報に基づいて前記ライセンス権者端末から前記ネットワークを介して注文したソフトウェアをダウンロードするダウンロード手段を有するような構成とすることは、直ちに導出されるものである。
［相違点６］について
　後者においては、販売者は、広告の掲載による料金で、手数料を得ていることは明らかであるが、商品仲介者が、商品の広告を掲載することにより手数料を得ることも、商品販売者が商品を販売することになった商品から一定の手数料を得ることも、どちらも商取引として、周知の事項であり、また、商品販売者が商品仲介者に商品販売の事実を通知して、商品仲介者から商品販売者に手数料を請求することも、商取引として周知の事項である。
　そして、後者においても、販売による料金の決済は、決済情報を作成して、ネットワークを介して決済端末に送信して、決済端末において、口座間での振込処理により行われるものであり、また、ダウンロード許可情報はソフトウェアの販売の事実を通知するものであるといえるから、上記［相違点１］について述べたように、後者の「書籍販売業者のコンピュータ」を「ライセンス権者端末」とすることが容易であれば、
　販売者が販売手数料を得るために、
(1)決済端末に販売者の口座を含ませること、(2)前記販売端末が、前記ライセンス権者端末からネットワークを介して送信されてくる返信情報であるダウンロード許可情報に基づいて販売者決済情報を作成して前記ネットワークを介して決済端末へ送信すること、(3)前記決済端末が、前記販売者端末から送信されてきた前記販売者決済情報に基づいて前記ライセンス権者の口座から前記販売者の口座へ振り込みをおこなうこと、
は直ちに導出されるものである。
　 
　また、本願発明の効果についてみても、上記引用例に記載された発明、及び周知の事項から予測される範囲のものにすぎない。 
　 
５．むすび 
　以上のとおり、本願発明は、上記引用例に記載された発明、及び周知の事項に基づいて、当業者が容易に発明をすることができたものであるから、特許法第２９条第２項の規定により特許を受けることができない。 
　よって、結論のとおり審決する。